(57)【要約】動物用タグは、実質的可撓性材料のフラグ（１１）を有し、それにフランジ部材（１５）、キャップ（１７）、およびオスタグ（図示せず）のヘッドのキャップ（１７）内での保持を助長するインサート（１８）を備える実質的剛性アッセンブリー（１４）を固定する。別の実施形態において、タグは可撓性材料の不定長さのストリップとして形成される。開口部（１９）を省略して、タグの使用中にオスタグのヘッドによって形成することができる。実質的剛性アッセンブリー（１４）は、図のように、オスタグの部品またはメスタグの部品を提供することができる。【選択図】図２
2011519556.tif 000002
【特許請求の範囲】
【請求項１】
実質的可撓性材料のフラグ部を備える動物用タグであって、該実質的可撓性材料の一部分に、使用時にメスまたはオスタグ部材を設ける実質的剛性部を固定する動物用タグ。
【請求項２】
請求項１に記載の動物用タグにおいて、前記フラグ部は複数の個々のフラグ部に分離可能な不定長さのストリップとして設けられる、動物用タグ。
【請求項３】
請求項１または２に記載の動物用タグにおいて、前記剛性部は、溶接、オーバーモールドまたはリベット固定のうちの１つによって前記実質的可撓性材料の前記一部分に固定される、動物用タグ。
【請求項４】
請求項１または２に記載の動物用タグにおいて、前記剛性部は少なくとも第１部品と第２部品とを有し、これらの部品は前記実質的可撓性材料の両側に固定されるか、または固定可能な、動物用タグ。
【請求項５】
請求項４に記載の動物用タグにおいて、前記実質的可撓性材料は開口部を備え、該開口部を通して前記第１および第２部品のうちの少なくとも１つの一部分を挿入して、前記部品のうちの他の部品と固定することのできる、動物用タグ。
【請求項６】
請求項４に記載の動物用タグにおいて、前記第１部品は、オスタグのヘッドを収容するように構成されるほぼ空洞のキャップを備える、動物用タグ。
【請求項７】
請求項６に記載の動物用タグにおいて、前記剛性部は実質的に剛性で、前記第１部品と前記可撓性材料との間で固定可能であり、前記オスタグのヘッドの保持を助長するように構成される少なくとも第３部品を有する、動物タグ。
【請求項８】
請求項１に記載の動物用タグにおいて、前記剛性部は識別手段を備える、動物用タグ。
【請求項９】
請求項４に記載の動物用タグにおいて、前記第１部品および前記第２部品はそれぞれ第１および第２係合手段を備え、前記第２部品の前記係合手段は前記実質的可撓性材料を貫通して、前記第１部品の前記係合手段と係合するように構成される、動物用タグ。
【請求項１０】
請求項４に記載の動物用タグにおいて、前記第１部品はその端部の両方に開口を備え、動物から採取したサンプルの前記第１部品からの回収を可能にする、動物用タグ。
【請求項１１】
請求項４に記載の動物用タグにおいて、前記第１部品および前記第２部品の少なくとも１つは少なくとも１つのさらなる開口部を備え、それを通って前記実質的可撓性材料は前記フラグ部の形成中に流れることができる、動物用タグ。
【請求項１２】
請求項４に記載の動物用タグにおいて、前記実質的可撓性材料はくぼみを有する開口部を備え、リップを有する前記第１部品の一部分を収容し、該リップは前記第２部品の外端部に設けられる突出部によって係合可能な、動物用タグ。
【請求項１３】
実質的可撓性材料のフラグ部を有する動物用タグの製造方法であって、実質的剛性部は前記実質的可撓性材料の一部分に固定され、メスまたはオスタグ部材を提供する、動物用タグの製造方法。
【請求項１４】
請求項１３に記載の動物用タグの製造方法において、前記フラグ部は最初に形成され、前記実質的剛性部はその後に前記フラグ部に固定される、動物用タグの製造方法。
【請求項１５】
請求項１４に記載の動物用タグの製造方法において、前記実質的剛性部は最初に位置決めされ、そしてその後に前記フラグ部が前記実質的剛性部の周りに形成される、動物用タグの製造方法。
【請求項１６】
請求項１５に記載の動物用タグの製造方法において、前記剛性部は複数の部品として設けられ、前記可撓性材料が前記フラグ部を形成する際に、該可撓性材料はその中の少なくとも１つを通って流れることのできる、動物用タグの製造方法。
【請求項１７】
請求項１３に記載の動物用タグの製造方法において、前記フラグ部は不定長さの前記実質的可撓性材料のストリップとして設けられ、これは、それぞれの前記実質的剛性部が前記個々のフラグ部に固定された後に、複数の個々のフラグ部に分離される、動物用タグの製造方法。
【請求項１８】
添付図面の図１、図２、図３、図４、図５、図６および図７、図８、図９、図１０、図１１、図１２または図１３を参照して本明細書に実質的に記載された、動物用タグ。
【請求項１９】
添付図面の図１、図２、図３、図４、図５、図６および図７、図８、図９、図１０、図１１、図１２または図１３を参照して本明細書に実質的に記載された、動物用タグの製造方法。
【発明の詳細な説明】
【技術分野】
【０００１】
本発明は、タグおよびその製造方法並びにそれらの改良に関するものである。簡単のため、全体を通して「動物用タグ」について述べるが、関連技術分野の当業者には、本願が、荷札、医療用タグ、園芸用タグなどを含むあらゆる種類およびあらゆる使用向けのタグの分野において重要性を持つことは明らかであろう。本明細書の目的において、「動物用タグ」という用語はあらゆる種類のタグを含むものとする。
【背景技術】
【０００２】
国際的に耳タグは、動物を一意的に識別するために使用される。タグが動物から引き裂かれたり、または外れたりするリスクを最小限にするには、可撓性材料のタグへの使用は大きな利益がある。
【０００３】
その目的を達成するために様々な提案が行われおり、これらには、適切な識別マークを印刷した可撓性フラグに一体成形（特許文献１参照）または別個の単体（特許文献２参照）として設けられる、適切なオスタグまたはメスタグ部を設けるものがある。
【０００４】
このような従来の提案はこれまで、タグの構造とその製造の両面において、様々な不利益を被ってきた。前者に関しては、オスタグ部またはメスタグ部が別々に設けられ、これらのタグ部の間に永久的な結合部がなく、タグがバラバラになって動物の識別ができなくなるリスクがある。また、オスまたはメスの剛性のタグ部を例えば半可撓性フラグに結合している場合には、動物によってタグが曲げられると、タグと動物との相互接続部に動的荷重が発生し、タグの破損につながる。後者に関しては、タグが特に一体構造として形成される場合には、複雑性のために、そしてまた一般的には、使用することのできるプラスチックの種類に対する制限により、工具が非常に高価となることがある。
【０００５】
別の従来の提案には、軟質ポリウレタンなどの軟質材料のパネルをオーバーモールドして、硬質ポリウレタンなどの剛性ボスを封入する（特許文献３参照）ものがある。このような提案およびその他の提案では、パネルが好適な厚さ以上である必要があるため、柔軟性が損なわれる。また、パネルの成形には特有の複雑な工具を要する。現在の工具の機械的制限により、タグ設計から利用できるソリューションも制限されてしまう。また、成形応力により、製造後にタグの巻きなどの問題が生じる。
【先行技術文献】
【特許文献】
【０００６】
【特許文献１】英国特許第２１６０１５３号（Ｄａｌｔｏｎ Ｓｕｐｐｌｉｅｒｓ社）
【特許文献２】米国特許第５７２５２６１号（Ｒａｈn社）
【特許文献３】ニュージーランド特許第５０４７４２号（Ａｌｌｆｌｅｘ  Ｎｅｗ  Ｚｅａｌａｎｄ社）
【発明の概要】
【発明が解決しようとする課題】
【０００７】
よって、本発明の目的は、本発明の少なくとも１つの実施形態によれば、現在の動物用タグの問題を克服または少なくとも軽減する動物用タグ、または少なくとも人々に有益な選択を提供する動物用タグを提供することである。
【０００８】
本発明の別の実施形態による目的は、現在の動物用タグの製造の問題をさらに克服または軽減する動物用タグの製造方法、または少なくとも人々に有益な選択を提供する動物用タグの製造方法を提供することである。
【０００９】
本発明のさらなる目的は、全て選言的に考えられるものであるが、下記の本発明の可能な実施形態の例による記述から明らかとなるであろう。
【課題を解決するための手段】
【００１０】
本発明は、一態様によれば、実質的可撓性材料のフラグ部を備える動物用タグとして、該フラグ部において、実質的可撓性材料部には実質的剛性部が固定され、該剛性部は使用時にメスまたはオスのタグ部材を設ける動物用タグを提供するものである。
【００１１】
本発明は、第２態様によれば、実質的可撓性材料のフラグ部を有する動物用タグの製造方法として、該フラグ部において、実質的剛性部は実質的可撓性材料部の一部分に固定され、メスまたはオスのタグ部材を備える動物用タグの製造方法を提供するものである。
【００１２】
好適には、フラグ部は複数の個々のフラグ部に分けることのできる不定長さのストリップとして提供する。
【００１３】
好適には、剛性部はフラグ部に溶接、オーバーモールドまたはリベット固定する。
【００１４】
好適には、剛性部は少なくとも第１部および第２部を有し、これらは実質的可撓性材料の両側に固定されるか、または固定可能である。
【００１５】
剛性部は識別手段を備えてもよい。
【００１６】
本発明は、さらなる態様によれば、添付図面に示す実施形態のいずれか１つを参照して、実質的に本明細書に記載される動物用タグおよび／または動物用タグの製造方法を提供するものである。
【００１７】
本発明のさらなる態様は、例示とした実施例によって、および添付図面を参照して与えられる下記の説明から明らかであろう。
【図面の簡単な説明】
【００１８】
【図１】それぞれ、本発明の可能な一実施形態によるタグの上面図、側面図、底面図、端面図、側面斜視図、底面斜視図および分解図である。
【図２】それぞれ、本発明のさらに可能な実施形態によるタグの上面図、側断面図、底面図および構成部品分解図である。
【図３】それぞれ、本発明のさらに可能な実施形態によるタグの上面図、側断面図、底面図および構成部品分解図である。
【図４】それぞれ、本発明のさらに可能な実施形態によるタグの上面図および分解図である。
【図５】それぞれ、本発明のさらに可能な実施形態によるタグの上面図、側断面図および底面図である。
【図６】それぞれ、本発明のさらに可能な実施形態によるタグの上面図、断面図および端面図である。
【図７】オスタグ部材を備える図６のタグを示す図である。
【図８】それぞれ、本発明のさらに可能な実施形態によるタグの断面図、底面分解図および側面分解図である。
【図９】それぞれ、本発明のさらにまた可能な実施形態の側面斜視図、底面図および底面分解図である。
【図１０】それぞれ、本発明のさらに可能な実施形態の上面斜視図、下面斜視図、端面図、上面図、側面図および底面図である。
【図１１】それぞれ、本発明のさらにまた可能な実施形態の上面斜視図、底面斜視図、底面図、断面図、端面図および上面図である。
【図１２】それぞれ、本発明のさらに可能な実施形態の上面斜視図、底面斜視図、底面図、側面図、上面図および断面図である。
【図１３】それぞれ、本発明のさらに可能な実施形態の分解図、上面図、底面図および断面図である。
【発明を実施するための形態】
【００１９】
本発明は、概してタグ、特に動物用タグを提供し、タグはその構造および製造において、動物を識別する好適な識別マークを通常設ける実質的可撓性フラグ部と、オスまたはメスのタグ部材として機能することのできる、永久に固定された実質的剛性部の便益をもたらす。そのようにすることで、本発明は、より簡素でより費用のかからないタグの製造を達成し、先に概要を述べたような従来のタグまたはその製造方法に関する問題の克服、または少なくとも軽減に努める。
【００２０】
そこで添付図面の図１を参照すると、本発明の１つの可能な実施形態を示しているが、これは、分離可能な実質的可撓部２のストリップ１の形状であり、可撓部は、例えば弱め線すなわちミシン目３を有し、個別の使用に必要とされる際には分離が簡単に行えるようになっている。可撓部２はどんな好適な可撓性材料でもよいが、特に、ポリウレタンなどの好適な弾性プラスチック材料でもよい。
【００２１】
図のように、通常矢印４で示す個々の実質的剛性構成部品を可撓部２の各々に設け、可撓部２と一体化させる。特に図１（ｇ）のように、実質的剛性構成部品４は、本実施形態において、各可撓部２の片側に固定する開口部６を有するフランジ部材５と、各可撓性部２の反対側および本実施形態においては各可撓部２に設ける開口部９の周りに固定可能なキャップ部材７およびワッシャ状部材またはインサート８を備えてもよい。
【００２２】
特に部材４に使用する材料に応じて、その構成部品は、溶接、オーバーモールド、リベット固定などの適切な手段によって、各々の可撓部２に固定してもよく、そうすることにより、可撓部２の固定的、永久的そして密接的な部分となる、そして本実施形態では、ストリップ１のほぼ中心縦軸沿いに位置する。
【００２３】
ストリップ１の製造には、簡素で費用のかからない工具が使用されるため、単純な工具を使って、適切な時、例えば印刷段階で、個々の構成部品４を適所や可撓部２に固定できるようにすることを理解されたい。
【００２４】
尚、本実施形態では、ストリップ１には連続して配置される開口部９が設けてあるが、代替実施形態では、これらの開口部９を省略して、オスタグ部材の挿入によって使用時に開口部を作成することができる。 剛性または少なくとも実質的に剛性のワッシャまたはインサート８は、設ける場合、オスタグ（図示せず）のヘッドのキャップ部材７内での保持を助長して、この目的のためにキャップ部材７の剛性に頼らないようにする。
【００２５】
図２を参照すると、本発明のさらに可能な実施形態において、個別のタグ１０は実質的可撓性材料のフラグ部を備える。そこには、そしてその一端の方に向かって、開口部１６を有するフランジ部材１５およびワッシャ状部材またはインサート１８を有するキャップ部材１７を備える実質的剛性部１４を固定する。さらにこの剛性部は、フラグ１１のどちら側にも、本実施形態で設ける開口部１９の周りに、フラグ部１１の先端に向かってあらゆる適切な方法によって固定することができる。この場合にもやはり、ワッシャまたはインサート１８を設けることにより、オスタグ（図示せず）のヘッドの保持を助長することができる。
【００２６】
図３、特に図３ｄを参照すると、本実施形態において図２の実施形態の開口部１９は省略され、使用中にオスタグ部材によって開口部が形成されている。
【００２７】
図４では、実質的可撓性材料のフラグ部１１は、好適に弱め線またはミシン目１３で、不定長さの細長いストリップ状に示されているが、そこに個々の実質的剛性の構成部品１４をあらゆる好適な方法で固定することができる。
【００２８】
図５を参照すると、実質的可撓性材料のフラグ部２０は、フランジ部材２５およびキャップ部材２７を有する実質的剛性構成部品２４と共に示されており、本実施例では、オスタグ（図示せず）のヘッドによって達成されるまで、フラグ部２０（図５ｂ参照）の材料を貫通せずに、フランジ部材２５およびキャップ部材２７は周りをフラグ部２０の両側に固定される。
【００２９】
図６を参照すると、実質的可撓性材料のフラグ部３０は、フラグ部で周りを固定され、そしてそれと一体化した実質的剛性構成部品３４を備え、これは、トランスポンダのようなＲＦＩＤ装置３８などの識別装置と共に示される。図７では、部材３４と係合する位置にオスタグ部材４０を示す。図６および図７の実施形態は、構成部品３４とフラグ３０との間に必ずしもワッシャまたはインサートを備える必要はないが、図７（ａ）に概要を示すように、キャップ内でオスタグ４０の保持を助長するために１つ設けてもよい。
【００３０】
図８を参照すると、好適な実質的可撓性材料のフラグまたはパネル部５０が一端で周りを固定された剛性部５１と共に示されている。この場合にメス部材を形成する剛性部５１は、貫通ペグまたはピン５３を有するフランジ部材５２を備え、これらのペグまたはピンはフラグまたはパネル部５０の材料を貫通して溶接するか、そうでなければフラグまたはパネル部５０の反対側のキャップ５５内のポケット５４などに固定する。剛性のワッシャスペーサまたはインサート５６は先に述べた理由により、キャップ５５の上部に設けてもよい。フランジ５２の中を通る入口５７はオスタグ（図示せず）を受け入れる。本実施形態では、入口５７の下の材料は、使用されるまで、およびオスタグによって壊されることはない。
【００３１】
図９を参照すると、さらに可能な実施形態において、実質的可撓性材料のフラグまたはラベル部６０は、リベット６５などの形状の剛性部材を固定する。これは外周開口部６４を有するキャップ６３と共に示され、外周開口部は、可撓性材料を突き通るまたは貫通するフランジ部材６１のスパイクまたは歯６２を受け入れて固定させることができる。リベット６５は、金属、プラスチックなどのあらゆる好適な材料であってもよい。
【００３２】
図１０を参照すると、本出願人のニュージーランド特許第２２６２９６／２２８４５６号によるもののように、ワンピースタグ(one-piece tag)が実質的可撓性フラグ部７０と共に示されており、フラグ部は、動物の耳に突き通す切断チップ７３を有するヘッド部７２に伸びる直立ネック部７１を有する。フランジ部７４と７５は、フラグ部７０の両側にあらゆる適切な手段によって永久に固定し、そこに実質的剛性ネック部７１を固定する。本発明はもちろん、切断チップを有さないものを含む、他のあらゆる種類のワンピースタグと使用することができる。
【００３３】
図１１を参照すると、実質的可撓性材料のフラグ部８０は、図２を参照して説明したもののように、メスの実質的剛性部８１と共に示される。しかしながら本実施形態では、メスコーンまたはキャップ８２は開口部８３によって開いているようにみえる。このような開いたメスコーンまたはキャップは、フラグ８０から離して製造する剛性部８１の一部であるかのように設けることができるため、開コーンを設けることに対する成形の制限をなくすことができる。このような開コーンまたはキャップは、穴開け器などによって採取する生体試料を開口を通して回収できるようにするには特に有効だろう。
【００３４】
図１２を参照すると、本実施例において、矢印８６で通常示されるタグは、実質的可撓性材料のフラグ部８７と、矢印８８で通常示される実質的剛性部とを備える。実質的剛性部８８は、フラグ８７のネックの片側にキャップ９０を、そして反対側にフランジ部材８９を備える。構成部品９０および８９はタグ８７に組み付けられ、成形作業によって構成部品が共に好適に押され、フラグ８７を形成するプラスチック材料は、加圧下で、構成部品８９および９０の各々の穴を通って流れ、材料の「溶接流れ」が提供される。これは、図１２（ａ）、（ｂ）、（ｃ）に示すように、実質的剛性部８８の両側に参照番号９１で示される。特に図１２（ｆ）において、プラスチック材料は、材料のより厚い断面を有するネック部で材料のフラグ８７を形成し、これは構成部品９０と８９の間に挟まれることがわかる。また、特に図１２（ｃ）と（ｆ）からは、剛性構成部品８９には内部に向かう複数のフィンガ９３が好適に設けられ、オスタグ（図示せず）のヘッドの保持を助長していることがわかる。また、特に図１２（ｆ）からは、構成部品８９および９０が共に押されると、それらは構成部品８９に設けられたリップ状の個々の係合手段９９によってスナップ嵌合式に係合して、キャップ９０の内向きのレッジと係合することができる。
【００３５】
図１３を参照すると、本発明のさらなる実施形態において、通常矢印１００で示すタグは、実質的可撓性フラグ１０２と先端部１０４を有するヘッド部１０３を持つオスタグとを備える２ケのタグの集合体の形状である。メスタグは、実質的可撓性パネル部１０１および実質的剛性部とを備え、実質的剛性部は、メスフラグ部材１０１のネックを通す圧入によってフランジ部材１０７と係合可能なキャップ部材１０６を備える。メス部材１０１のネックの開口部１０５にはくぼみ１０９があり、これは、キャップ１０６に設けられるレッジまたはリム１１０をしっかりと収容することができる。特に図１３（ｄ）でわかるように、部材１０７の外端の突出部１０８は、レッジまたはリム１１０の後方に係合することができる。部材１０７には、図のように、オスタグのヘッド１０４の保持を助長する複数のフィンガ１１１が設けられる。
【００３６】
よって、実質的可撓性材料のタグのフラグは簡素に、そして費用をかけずに、個々にまたはストリップ状に成形することができ、その周囲を固定されたタグの実質的剛性部と一体化されると理解できる。タグの可撓部および非可撓部に使用する材料が相互にタグの設計を制約しないとすると、法外な工具の費用がかかることになる。というのも、オスまたはメスのタグ部を形成する剛性部を溶接などによって可撓性材料に固定せずに、その周りを固定することになるからである。このように、本発明のいくつかの実施形態において、使用する材料は全く互換性のない場合がある、というのも、それらは溶接、リベット固定または成形などの適切な手段で接合できるからである。好適な材料は、例えば、可撓性ポリウレタンまたはフラグおよびより可撓な部品の実質的可撓性材料と同様のもの、並びにキャップ、ワッシャおよびインサートの実質的剛性材料にはナイロンまたはアセタール、もしくは代替的にブラスまたはステンレススチールなどのあらゆる好適な金属であってもよい。
【００３７】
一つの可能な実施形態では、例えば図９を参照すると、剛性部はタグを動物につける際にその場でフラグ部に固定することのできる、金属などのシンプルなリベットであると考えることもできる。
【００３８】
本発明はタグの製造に対する従来の制約を取り除き、「ジャスト・イン・タイム」な製造を可能にし、タグやタグ構成部品を保管する必要性や、異なるタグを製造する際に成形機のツールを変更する必要性を取り除くことができる。
【００３９】
上述の記載において、既知の均等物を有する本発明の特定構成部品または単体について述べられている場合には、そのような均等物は本明細書において個別的に述べられるものと同等に扱うものとする。
【００４０】
本発明を実施例やその可能な実施形態を参照して説明したが、添付の請求項に示す本発明の範囲から逸脱することなく、それに対して修正や改良を行うことができる。
【図１（ａ）】
2011519556.tif 000003
【図１（ｂ）】
2011519556.tif 000004
【図１（ｃ）】
2011519556.tif 000005
【図１（ｄ）】
2011519556.tif 000006
【図１（ｅ）】
2011519556.tif 000007
【図１（ｆ）】
2011519556.tif 000008
【図１（ｇ）】
2011519556.tif 000009
【図２（ａ）−２（ｃ）】
2011519556.tif 000010
【図２（ｄ）】
2011519556.tif 000011
【図３（ａ）−３（ｃ）】
2011519556.tif 000012
【図３（ｄ）】
2011519556.tif 000013
【図４（ａ）】
2011519556.tif 000014
【図４（ｂ）】
2011519556.tif 000015
【図５】
2011519556.tif 000016
【図６】
2011519556.tif 000017
【図７】
2011519556.tif 000018
【図８（ａ）】
2011519556.tif 000019
【図８（ｂ）】
2011519556.tif 000020
【図８（ｃ）】
2011519556.tif 000021
【図９（ａ）】
2011519556.tif 000022
【図９（ｂ）】
2011519556.tif 000023
【図９（ｃ）】
2011519556.tif 000024
【図１０（ａ）】
2011519556.tif 000025
【図１０（ｂ）】
2011519556.tif 000026
【図１０（ｃ）】
2011519556.tif 000027
【図１０（ｄ）】
2011519556.tif 000028
【図１０（ｅ）】
2011519556.tif 000029
【図１０（ｆ）】
2011519556.tif 000030
【図１１（ａ）】
2011519556.tif 000031
【図１１（ｂ）】
2011519556.tif 000032
【図１１（ｃ）−１１（ｆ）】
2011519556.tif 000033
【図１２】
2011519556.tif 000034
【図１３】
2011519556.tif 000035
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
実質的可撓性材料のフラグ部を備える動物用タグであって、実質的剛性部分は少なくとも第１部品と第２部品とを有し、各部品はそれぞれそこに設けられる、または設けることの可能な第１および第２開口部を有し、前記部品は共に固定されるかまたは固定可能に前記フラグ部の両側に位置付けされ、使用時にメスまたはオスのタグ部材を設ける動物用タグ。
【請求項２】
請求項１に記載の動物用タグにおいて、前記フラグ部は複数の個々のフラグ部に分離可能な不定長さのストリップとして設けられる、動物用タグ。
【請求項３】
請求項１または２に記載の動物用タグにおいて、前記剛性部は、溶接、オーバーモールドまたはリベット固定のうちの１つによって、前記フラグ部に固定される、動物用タグ。
【請求項４】
請求項１〜３のいずれか一項に記載の動物用タグにおいて、前記実質的可撓性材料は開口部を有し、該開口部を通して前記第１および第２部品のうちの少なくとも１つの一部分を挿入して、前記部品のうちの他の部品と固定することのできる、動物用タグ。
【請求項５】
請求項１〜４のいずれか一項に記載の動物用タグにおいて、前記第１部品は、オスタグのヘッドを収容するように構成されるほぼ空洞のキャップを備える、動物用タグ。
【請求項６】
請求項１〜５のいずれか一項に記載の動物用タグにおいて、前記剛性部は実質的に剛性で、前記第１部品と前記可撓性材料との間で固定可能であり、前記オスタグの前記ヘッドの保持を助長するように構成される、少なくとも第３部品を有する、動物タグ。
【請求項７】
請求項１に記載の動物用タグにおいて、前記剛性部は識別手段を備える、動物用タグ。
【請求項８】
請求項１〜７のいずれか一項に記載の動物用タグにおいて、前記第１および前記第２部品はそれぞれ第１および第２係合手段を備え、前記第２部品の前記係合手段は前記実質的可撓性材料を貫通して、前記第１部品の前記係合手段と係合するように構成される、動物用タグ。
【請求項９】
請求項１〜８のいずれか一項に記載の動物用タグにおいて、前記第１部品はその端部の両方に開口を備え、動物から採取したサンプルの前記第１部品からの回収を可能にする、動物用タグ。
【請求項１０】
請求項１〜９のいずれか一項に記載の動物用タグにおいて、前記第１部品および前記第２部品の少なくとも１つは少なくとも１つのさらなる開口部を備え、それを通って前記実質的可撓性材料は前記フラグ部の形成中に流れることができる、動物用タグ。
【請求項１１】
請求項１〜１０のいずれか一項に記載の動物用タグにおいて、前記実質的可撓性材料はくぼみを有する開口部を備え、リップを有する前記第１部品の一部分を収容し、該リップは前記第２部品の外端部に設けられた突出部によって係合可能な、動物用タグ。
【請求項１２】
実質的可撓性材料のフラグ部を有する動物用タグの製造方法であって、実質的剛性部に少なくとも第１部品および第２部品とを設けるステップと、前記部品を前記フラグ部に固定して、該フラグ部の両側に位置付けし、使用時にメスまたはオスのタグ部材を提供するステップと、各部品にそれぞれ第１および第２開口部を、それを前記フラグ部に固定する前または後に設けるステップとを有する、動物用タグの製造方法。
【請求項１３】
請求項１２に記載の動物用タグの製造方法において、前記フラグ部は最初に形成され、前記実質的剛性部はその後に前記フラグ部に固定される、動物用タグの製造方法。
【請求項１４】
請求項１２に記載の動物用タグの製造方法において、前記実質的剛性部は最初に位置決めされ、そしてその後に前記フラグ部は前記実質的剛性部の周りに形成される、動物用タグの製造方法。
【請求項１５】
請求項１４に記載の動物用タグの製造方法において、前記可撓性材料が前記フラグ部を形成する際に、該可撓性材料は前記剛性部の部品の少なくとも１つを通って流れることのできる、動物用タグの製造方法。
【請求項１６】
請求項１２に記載の動物用タグの製造方法において、前記フラグ部は不定長さの前記実質的可撓性材料のストリップとして設けられ、これは、それぞれの前記実質的剛性部が前記個々のフラグ部に固定された後に、複数の個々のフラグ部に分離される、動物用タグの製造方法。
【請求項１７】
添付図面の図１、図２、図３、図４、図５、図６および図７、図８、図９、図１０、図１１、図１２または図１３を参照して本明細書に実質的に記載された、動物用タグ。
【請求項１８】
添付図面の図１、図２、図３、図４、図５、図６および図７、図８、図９、図１０、図１１、図１２または図１３を参照して本明細書に実質的に記載された、動物用タグの製造方法。
【手続補正書】
【提出日】平成22年4月14日(2010.4.14)
【手続補正１】
【補正対象書類名】明細書
【補正対象項目名】００１０
【補正方法】変更
【補正の内容】
【００１０】
本発明は、一態様によれば、実質的可撓性材料のフラグ部を備える動物用タグとして、実質的剛性部分は少なくとも第１部品と第２部品とを有し、各部品はそれぞれそこに設けるか、または設けることの可能な第１および第２開口部を有し、これらの部品は共にフラグ部の両側に位置付けされ、使用時に、メスまたはオスタグ部材を設ける動物用タグを提供するものである。
【手続補正２】
【補正対象書類名】明細書
【補正対象項目名】００１１
【補正方法】変更
【補正の内容】
【００１１】
本発明は、第２態様によれば、実質的可撓性材料のフラグ部を有する動物用タグの製造方法として、少なくとも第１部品および第２部品を有する実質的剛性部を設けるステップと、これらの部品をフラグ部に固定してフラグ部の両側に位置付けし、使用時にメスまたはオスタグ部材を設けるステップと、そのフラグ部との固定前または後に、各部品にそれぞれ第１および第２開口部を設けるステップとを含む動物用タグの製造方法を提供するものである。
【手続補正３】
【補正対象書類名】明細書
【補正対象項目名】００１４
【補正方法】削除
【補正の内容】
【国際調査報告】
2011519556.tif 000036
2011519556.tif 000037
2011519556.tif 000038
2011519556.tif 000039